(57)【要約】【課題】左右両側に配置されるフレームに１枚のシートを取付ける際、左右両側に配置されるフレームの幅方向内側からシートを取付けることで、シートをフレームにシンプルに、しかも美観を高めて取付けることができるベビーバギーを提供し、さらに安定確実なシート取付構造を確保する。【解決手段】ベビーバギー１１の立体的な構築部材として左右両側に配置される前方フレーム１２に備えた台座２０と、平面状に展開された１枚のシート１６の端部付近に備えたシート連結体２１とで構成し、前記台座２０を幅方向内側部で、外側向きのシート連結体２１を係止する構成とした取付手段を構築する。【選択図】図３
2008162561.tif 000002
【特許請求の範囲】
【請求項１】
幅方向の左右両側に略平行して前方下部から後方上部に向けて傾斜し、その略中央部に２つ折りに折畳む折畳みヒンジを有する前方フレームと、
前記前方フレームの後方上部に折畳自在に枢着され、後方下部に延びる後方フレームと、
これらのフレーム間で折畳自在に接続される折畳部材とを組合せ、
各フレームの下端部に車輪を備えるとともに、前記フレーム及び折畳部材で囲まれた空間に、乳幼児が乗車するシートを備えてなるベビーバギーであって、
前記前方フレームにシートを取付ける取付手段を備え、
前記取付手段は、前方フレームに配した被係止部と、
前記シートの端部付近に備えた係止部とで構成し、
前記被係止部の幅方向内側部で、外側向きの係止部を係止する構成とした
ベビーバギー。
【請求項２】
前方フレームを、
断面Ｄ型のパイプフレームで構成するとともに、Ｄ型の平面部分が幅方向内側となるように配置した
請求項１に記載のベビーバギー。
【請求項３】
前記取付手段は、
前記被係止部と係止部とを局部的に対応させて係止するシート取付装置を構成し、該シート取付装置の複数対を前記シート両側の複数の箇所に対応させて配置した
請求項１または２に記載のベビーバギー。
【請求項４】
前記取付手段に、
前記被係止部と係止部の係止状態が不用意に外れることを防止する外れ防止手段を備えた
請求項１、２または３に記載のベビーバギー。
【請求項５】
前記取付手段は、
前記被係止部を、前方フレームの幅方向内側より該前方フレームに固定し、且つ挿入方向を上側から下側に設定した挿入溝を有する台座で構成するとともに、前記係止部をシートの端部に付設したシート連結体で構成し、
前記シート連結体を台座の挿入溝に挿入させて連結させる構成とした
請求項１〜４の何れか１つに記載のベビーバギー。
【請求項６】
前記取付手段は、
前記被係止部を前方フレームの幅方向内側に開口した係止孔で構成するとともに、前記係止部をシートの端部付近に付設された係止爪で構成し、
前記係止爪を前記係止孔に引っ掛けて取付ける構成とした
請求項１〜４の何れか１つに記載のベビーバギー。
【発明の詳細な説明】
【技術分野】
【０００１】
この発明は、乳幼児を乗車させて移送するベビーバギーに関し、さらに詳しくは乳幼児を乗車させるシートの取付構造を改良したベビーバギーに関する。
【背景技術】
【０００２】
一般に、この種のベビーバギーは、フレームと折畳部材とを立体的に組合せて構成し、フレームの後方上端部には手押し用のハンドルを備え、下端部には移送用の車輪を備え、さらにフレームと折畳部材とで囲まれた空間に、乳幼児が乗車するシートを備えている。また、シートの取付けに際しては、左右両側のフレームに、展開されたシートの両側端部を巻付け、その巻き付けたシートの両側端部を固定することによりシートを取付けている。
【０００３】
ところが、シートの両側端部をフレームに巻付けて取付けているため、フレームの一部がシートの取付部分に覆われてフレーム回りの美観が劣り、ベビーバギーの高級感の向上が図れなかった。さらに、シートの巻付け部分は下方向の負荷が掛かるためフレームへの安定した取付けを確保する必要があるが、フレームに巻付けられたシートはフレームの軸方向にずれやすく、またずれて皺になるなど剛性のフレームと可撓性のシートとの取付け部分に違和感が生じていた。
【０００４】
それゆえ、美観の向上や違和感を生じさせないシート取付手段として、左右両側に設けられる前方傾斜杆（筒状フレーム）の筒体内部にシート取付用の小さな筒状の溝を軸方向に有し、シートには予めシート取付用の長尺部材を取付けておき、この長尺部材を前記フレームの筒状の溝に挿入することによりシートを取付けるシート取付手段が知られている(例えば特許文献１参照)。
【０００５】
しかし、この種のシート取付手段では、前方傾斜杆の筒体内部に軸方向に小さな筒状の溝を長く形成する必要がある。このため、前方傾斜杆の構造が複雑になり、また製作に手間が掛かり、コスト高を誘起する原因になる。このほか、シートの取付けに際しても、前方傾斜杆の端面開口部から長尺部材を挿入しなければならず、取付けに手間が掛かり、簡単に取付けられないという問題を有していた。
【０００６】
【特許文献１】特開２００５−１５３８６９号
【発明の開示】
【発明が解決しようとする課題】
【０００７】
そこでこの発明は、左右両側に配置されるフレームにシートを美観を高めて容易に取付けることができるベビーバギーを提供することを目的としている。
【課題を解決するための手段】
【０００８】
この発明は、幅方向の左右両側に略平行して前方下部から後方上部に向けて傾斜し、その略中央部に２つ折りに折畳む折畳みヒンジを有する前方フレームと、前記前方フレームの後方上部に折畳自在に枢着され、後方下部に延びる後方フレームと、これらのフレーム間で折畳自在に接続される折畳部材とを組合せ、各フレームの下端部に車輪を備えるとともに、前記フレーム及び折畳部材で囲まれた空間に、乳幼児が乗車するシートを備えてなるベビーバギーであって、前記前方フレームにシートを取付ける取付手段を備え、前記取付手段は、前方フレームに配した被係止部と、前記シートの端部付近に備えた係止部とで構成し、前記被係止部を幅方向内側部で、外側向きの係止部を係止する構成としたことを特徴とする。
【０００９】
前記被係止部は前方フレームの長さ方向の一部に形成され、１本の前方フレームに対して少なくとも１箇所以上備えていることを含む。  
この発明によると、シートを前方フレームに取付ける際、シートの端部が前方フレームの幅方向内側に向いた突合せ状態で取付けられる。よって、シートを前方フレームに巻き付けずに被係止部と係止部とを互いに係止させるだけで容易にシートを取付けることができる。この結果、左右両側の前方フレーム間にシートが収まり、前方フレームの外面側にシート部分が露出しなくなり、シート取付部分での違和感がなくなる。このため、美観を高めてベビーバギーの高級感を得ることができる。
【００１０】
この発明の別の構成では、前方フレームを断面Ｄ型のパイプフレームで構成するとともに、Ｄ型の平面部分が幅方向内側となるように配置して構成することができる。
【００１１】
この発明によると、前方フレームを断面Ｄ型のパイプフレームで構成することにより、該Ｄ型の平面部は曲面でないため係止構造に適した取付面となり、係止構造の一方を形成し易くなる。例えば、被係止部としての孔の形成や回り止めの形成などを容易に細工することができる。さらに、Ｄ型の平面部分をベビーバギーの幅方向内側に配置することにより、該平面部分が幅方向内側に向いて、平面部分がシート端部と突合せ状態になるので幅方向内側から係止させるのに適している。
【００１２】
この発明の別の取付手段では、前記被係止部と係止部とを局部的に対応させて係止するシート取付装置を構成し、該シート取付装置の複数対を前記シート両側の複数の箇所に対応させて配置する構成とすることができる。
【００１３】
この発明によると、被係止部と係止部との一対から局部的に係止させるシート取付装置を構成すれば、左右両側の前方フレームと１枚のシートとの間で部分的に対応させて取付けることができる。例えば、展開した状態で取付けられる１枚のシートに対し、その左右両側の上下位置の合計４箇所の位置を各シート取付装置の取付位置に設定して、シートを４箇所の位置で局部的に支持することができる。
【００１４】
この発明の別の構成では、前記取付手段に、前記被係止部と係止部の係止状態が不用意に外れることを防止する外れ防止手段を備えて構成することができる。
【００１５】
この発明によると、前方フレームにシートが取付けられた際、その取付けられた係止部分の係止状態を外れ防止手段によって不用意に外れなくすることができるので、外部から何らかの力が加わっても不用意に外れず、シート取付け後の安全性を高めることができる。この外れ防止手段は、例えば係止部側と被係止部側との何れか一方を凸に設け、他方を凹に設けて凹凸対応させた構造、あるいは係止状態を固定する構造で構成することができる。
【００１６】
この発明の別の取付手段では、前記被係止部を、前方フレームの幅方向内側より該前方フレームに固定し、且つ挿入方向を上側から下側に設定した挿入溝を有する台座で構成するとともに、前記係止部をシートの端部に付設したシート連結体で構成し、前記シート連結体を台座の挿入溝に挿入させて連結させる構成とすることができる。
【００１７】
この発明によると、前方フレームに固定した台座の挿入溝に、シート連結体の一部または全部を挿入させれば、前方フレームにシートを連結させることができる。この場合、シートは使用状態において下向きの負荷を受けるため、該シートと一体のシート連結体が台座から外れないように挿入溝の挿入方向を上側から下側に設定している。また、シート連結体を挿入した方向と逆方向にスライドさせて離脱させれば、シート連結体が台座から外れるので、前方フレームからシートを取外すことができる。
【００１８】
この発明の別の取付手段では、前記被係止部を前方フレームの幅方向内側に開口した係止孔で構成するとともに、前記係止部をシートの端部付近に付設された係止爪で構成し、前記係止爪を前記係止孔に引っ掛けて取付ける構成とすることができる。
【００１９】
この発明によると、シート端部の係止爪を前方フレームの係止孔に引っ掛けるだけでシートを前方フレームに取付けることができる。このため、シートの取付け操作が容易になる。また、前方フレームに係止孔を開口することと、該係止孔に係止される係止爪をシートに付設するだけで係止構造を構築できるため、係止構造の簡素化が図れ、部品点数を削減して低コスト化を図ることができる。
【発明の効果】
【００２０】
この発明によれば、シートを左右両側に配置される前方フレームの幅方向内側から係止させて該シートを簡単に取付けることができる係止構造を有し、またシートの一部が前方フレームの外部に露出しなくなるのでベビーバギーの美観が向上する。
【実施例１】
【００２１】
この発明の一実施例を以下図面に基づいて説明する。図面はベビーバギーに備えられるシート取付装置を示し、図１はベビーバギーの外観斜視図、図２はベビーバギーに備えられるシートの展開図である。  
このベビーバギー１１は、幅方向の左右両側に略平行して前方下部から後方上部に向けて傾斜し、その略中央部に２つ折りに折畳む折畳みヒンジ１２ａを有する前方フレーム１２と、該前方フレーム１２の後方上部に折畳自在に枢着させて後方下部に延びる後方フレーム１３と、これらのフレーム１２，１３との間で折畳自在に縦横に接続されたリンク構造の折畳リンク片１４とを組合せ、両側の前後フレーム１２，１３の下端部に車輪１５を取付けるとともに、前記各フレーム１２，１３及び折畳リンク片１４で囲まれた空間に、乳幼児が乗車するシート１６を取付けている。また、前方フレーム１２の後方上端部には手押し用のハンドル１７と日除け幌１８とが備えられている。
【００２２】
さらに、このベビーバギー１１は、シート１６の取付けを簡単にし、しかも美観を高めるシート取付装置１９を備えている。図３はシート取付装置の使用状態を示す要部外観斜視図、図４はシート取付装置をベビーバギーの幅方向内側から見た分解斜視図、図５はシート取付装置をベビーバギーの幅方向外側から見た分解斜視図である。 
このシート取付装置１９は、断面Ｄ型のパイプフレームで構成される前方フレーム１２に固定される台座２０と、シート１６に連結されるシート連結体２１とから構成される。  
前記ベビーバギー１１の左右両側に配置される前方フレーム１２は、断面Ｄ型のパイプフレームで構成され、そのＤ型の平面部２２をベビーバギー１１の幅方向内側に向けて配置し、この平面部２２にシート連結体外留め防止用の連結孔２３と、該連結孔２３を中心とする両側に台座取付用のリベット留め孔２４とを開口して設けている。この場合、前方フレーム１２を断面Ｄ型のパイプフレームで構成することにより、このＤ型の平面部２２での連結孔２３やリベット留め孔２４の形成が容易になり、また該Ｄ型の平面部２２に後述する台座２０やシート連結体２１を平面対応させて安定して取付けることができる取付構造にしている。一方、前方フレーム１２の外面は断面半円形状を有し、この半円形の滑らかな外面が全長に渡って露出される。
【００２３】
また、後方フレーム１３においても断面Ｄ型のパイプフレームで構成し、その平面部をベビーバギー１１の前方に向け、後方に断面Ｄ型の半円形を向けて配置している。これにより、後方側から見て滑らかな半円形の外面が全長に渡って露出される。さらに、側面から見ても断面Ｄ型ゆえに半径長さとなり、幅狭のシャープでスッキリした美観を高めた後方フレーム１３の外観が露出されることになる。
【００２４】
上述の台座２０はゴム等の可撓性を有する材質でＬ形状に形成され、このＬ形状の垂直側と水平側のうち、Ｌ形垂直片２５側を、前記平面部２２と平面対応する四角形の平板状の取付面に設け、該Ｌ形垂直片２５の中央部に、前記平面部２２の連結孔２３と対応する台座連結孔２６を開口している。また、台座連結孔２６を中心とする両側に前記平面部２２のリベット留め孔２４と対応するリベット挿通孔２７を開口している。そして、連結孔２３と台座連結孔２６とを位置決め対応させた状態で、リベット２８をリベット挿通孔２７に挿通させてリベット留め孔２４に嵌着することにより、台座２０は前方フレーム１２に固定される。
【００２５】
一方、Ｌ形水平片２９側は、前記Ｌ形垂直片２５の下端から略水平に延出し、この延出したＬ形水平片２９が前方フレーム１２の一部を抱き込むように、該Ｌ形水平片２９の上面を、前方フレーム１２の半円形外周面に沿わせる凹状の円弧面３０に形成している。さらに、Ｌ形水平片２９には水平方向と下向きの凹部を有する断面Ｆ字形の挿入溝３１を一側面及び内面側を開放させて切欠き形成している。この挿入溝３１に後述するシート連結体２１のＬ形水平片３５及びロック突起３６が挿入されて連結される。
【００２６】
上述のシート連結体２１はゴム等の可撓性を有する材質でＬ形状に形成され、このＬ形状の垂直側と水平側のうちＬ形垂直片３２側を前記Ｌ形垂直片２５と平面対応する四角形の平板状の取付面に設け、該Ｌ形垂直片３２の外面側中央部に、前記台座連結孔２６及び連結孔２３に連結させるための連結軸３３（図５参照）を水平に突出している。この連結軸３３はシート連結体２１が前方フレーム２１に取付けられた後に該シート連結体２１が不用意に外れないように先端部を大径にした外留め防止部３３ａを設けている。この外留め防止部３３ａが台座連結孔２６を介して前方フレーム１２の連結孔２３に押し込まれることで外留めされる。さらに、Ｌ形垂直片３２と後述するＬ形水平片３５とが直角に接続される折曲位置には水平方向に薄肉部３４を形成してＬ形垂直片３２を着脱方向に折曲げ許容して、外留め防止部３３ａの着脱操作性を容易にしている。
【００２７】
一方、Ｌ形水平片３５側は、前記Ｌ形垂直片３２の下部側から略水平に延設され、この延設された部分を、前記Ｆ字形の挿入溝３１に嵌合する向きの同Ｆ字形状に形成し、下面には同Ｆ字形に突出するロック突起３６を形成している。このロック突起３６を含むＬ形水平片３５が台座２０の挿入溝３１に挿入されて、シート連結体２１が台座２０連結される。この挿入方向は前方フレーム１２の軸方向に沿って凹部形成され、且つ挿入溝３１の開口端面を上向きにしてシート連結体２１が前方フレーム１２の上部側から下部側に向くように挿入方向を設定している。これにより、前方フレーム１２にシート連結体２１が連結された場合、該シート連結体２１に対しては下向きに負荷が加わるが、略同方向にシート連結体２１が挿入溝３１に挿入されているため、使用時には負荷が加わっても外れるおそれがない。
【００２８】
さらに、四角形状のＬ形垂直片３２に対して、後述するシート１６の端部が固着される。図６はシート連結体２１とシート１６との連結状態を示した要部側面図である。前記シート１６は乳幼児を乗車させるのに適した丈夫で柔らかな肌触りを有する生地で構成されており、このシート１６をシート連結体２１に連結する場合、図６(Ａ)に示すように、Ｌ形垂直片３２の内面側３２ａにシート１６の端部を縫合させて、シート１６をシート連結体２１に連結する。このほか、図６(Ｂ)に示すように、Ｌ形垂直片３２を上方から包み込むようにシート１６の端部を袋状に形成して被せ、この袋状の部分から連結軸３３のみを露出させた状態にして連結する。このため、シート１６には予めシート連結体２１が一体に連結される。例えば、図２に示すように、１枚のシート１６の左右両側の上下位置の合計４箇所の位置にシート連結体２１が取付けられる。
【００２９】
このように構成されたシート取付装置１９を用いてシート１６を前方フレーム１２に取付ける場合、このシート１６の取付けに先立ち、予め、シート取付位置となる前方フレーム１２の４箇所の平面部２２の位置に各台座２０をリベット留めして固着しておく。さらに、シート１６の取付位置に該当する４箇所のシート端部に各シート連結体２１を例えば縫い合せ、あるいは接着して固着しておく。そして、シート１６の取付時には、前方フレーム１２に固定されている台座２０の挿入溝３１に、シート連結体２１のＬ形水平片３５及びロック突起３６を前方フレーム１２に沿う斜め下向きに挿入させて一体に連結させる。
【００３０】
続いて、シート連結体２１の外留め防止部３３ａを台座連結孔２６より押し込んで前方フレーム１２の連結孔２３に連結させる。これにより、シート１６はシート連結体２１及び台座２０を介して前方フレーム１２に固定される。この場合、シート取付後は、外留め防止部３３ａによってシート１６は外留め防止されて安定確実に前方フレーム１２に固定されるため、不用意に外れるおそれがない。また、仮に外部から何らかの力が加わっても外れないため、シート取付け後の安全性が高められる。
【００３１】
ことに、シート連結体２１の取付方向は挿入溝３１に挿入されることによる前方フレーム１２の軸方向に働く係止作用と、連結孔２３に水平に連結されることによる水平方向に働く係止作用との異方向の両係止作用によって、シート連結体２１は、より一層安定確実に連結される。
【００３２】
さらに、シート１６の支持領域は前方フレーム１２やシート１６の長さに対して、長さが短い局部的な支持構造を有するシート取付装置１９を複数配置することで構成することができる。また、シート取付装置１９は局部的に配置できるため取付領域が小さくなり、前方フレーム１２及びシート１６の長さの大部分を係止する場合と比較して容易に係止でき、またシンプルな支持構造となる。
【００３３】
また、利用者がシート１６を取付ける作業としては、ベビーバギー１１の幅方向内側に、前方フレーム１２の断面Ｄ型の平面部２２が位置して、該幅方向内側から挿入溝３１への挿入操作と、台座連結孔２６及び連結孔２３への押込み操作だけでシート１６を前方フレーム１２に取付けることができる。また、前方フレーム１２の幅方向内側でシート端部が突合せ状態に対向して取付けられるので、シート１６は前方フレーム１２の外面側に露出せず、外観上、シート取付部分での違和感を生じさせなくなり、シンプルなためベビーバギーの美観が高まる。
【００３４】
次に、シート１６を取外す場合は、まず、シート連結体２１のＬ形垂直片３２を幅方向内側に引っ張って外留め防止部３３ａを連結孔２３から引っ張り出し、外留めを解除する。続いて、前方フレーム１２に固定されている台座２０の挿入溝３１からシート連結体２１を、該シート連結体２１を挿入した方向と逆方向にスライドさせれば、シート連結体２１が台座２０から外れるので、前方フレーム１２からシート連結体２１を取外すことができる。従って、これら４箇所のシート取付装置１９のシート連結体２１を外せばシート１６を取外すことができる。
【実施例２】
【００３５】
図７及び図８はシート取付装置の別の実施例を示し、図７はシート取付装置の斜視図、図８はシート取付装置の要部拡大横断面図である。  
このシート取付装置７１は、断面Ｄ型のパイプフレームで構成される前方フレーム７２の平面部７７に横長の四角形状に開口した係止孔７３と、この係止孔７３ごとに配設した外留め機構７４と、シート７５に一体に連結した係止爪７６とから構成される。
【００３６】
この実施例２の場合も実施例１と同じく前方フレーム７２にはシート７５の取付操作性が良好となる断面Ｄ型のパイプフレームを用いる。また、その断面Ｄ型の平面部７７をベビーバギーの幅方向内側に向けて配置し、その平面部７７の軸方向に係止孔７３を一定間隔に開口している。これらの各係止孔７３と対応するシート７５側には同じく一定間隔ごとにＬ形状の係止爪７６をシート７５に固定し、Ｌ形状の屈曲部側を突設させている。
【００３７】
前記外留め機構７４は、昇降スライダ７８と、該昇降スライダ７８を摺動支持する摺動ガイド口７９とから構成される。前記昇降スライダ７８は平板状を有して前記平面部７７に対接し、且つ係止孔７３の係止位置(図７では左側)とは逆方向の位置(図８では上方)に配置される。この昇降スライダ７８は、内端部に抜留め部８０を有する摺動軸部８１を内面に突出し、この摺動軸部８１が平面部７７の上下方向に細長く開口された摺動ガイド口７９内に介在して、上下方向に摺動ガイドされる。
【００３８】
また、昇降スライダ７８の外面中央部には上下方向に対するスライド操作用の摘み部８２を突設しており、該摘み部８２を利用者が指先で上下方向に押して、昇降スライダ７８を上方または下方にスライド操作させることにより、後述する係止爪７６の外留め操作と外留め解除操作とができる。
【００３９】
上述の昇降スライダ７８を、図７(Ａ)に示すように、上方にスライドさせたときは、該昇降スライダ７８が係止孔７３の上方にスライド移動して係止孔７３を開放する。一方、昇降スライダ７８を下方にスライドさせたときは、該昇降スライダ７８が係止孔７３の係止側の一部を開口した状態で係止孔７３を閉鎖する。つまり、係止爪７６の介在スペースを確保した状態で係止孔７３の開口面を覆って閉鎖する。
【００４０】
これにより、図７(Ｂ)に示すように、係止孔７３に係止爪７６を係止させた状態で昇降スライダ７８を下方にスライドさせると、該昇降スライダ７８の係止側端面７８ａが係止爪７６のＬ形状の背面側７６ａに平面対応して、係止爪７６の係止状態をロックして外留めする役目を有している。
【００４１】
従って、昇降スライダ７８を、図７(Ａ)に示すように、上方にスライドさせて開口させた係止孔７３に、シート端部の係止爪７６を引っ掛けた後、昇降スライダ７８を下方にスライドさせれば、図７(Ｂ)に示すように、該昇降スライダ７８の係止側端面７８ａが係止爪７６の背面側７６ａを係止し、外留め作用が付加された状態でシート７５を前方フレーム７２に取付けることができる。
【００４２】
ことに、昇降スライダ７８のスライド方向は係止爪７６の係止方向(前方フレームの軸方向)ならびに荷重の負荷方向と、交差する方向であるため昇降スライダ７８が不用意に動くことがなく、係止爪７６の係止状態が不用意に外れることを防止することができる。このため、安全性の高いシート７５の取付けができる。
【００４３】
このようなシート取付装置７１を用いれば、昇降スライダ７８のスライド操作と係止孔７３にシート端部の各係止爪７６を引っ掛ける操作だけでシート７５を前方フレーム７２に取付けることができる。このため、シート７５の取付け操作が容易になり、また係止構造を簡単に構築できる。
【００４４】
なお、係止孔７３の取付位置を前方フレーム７２の軸方向に複数配置しておけば、軸方向の係止孔７３の位置を選択して係止爪７６の係止位置を変更するだけでシート７５の取付位置を容易に調整することができる。
【実施例３】
【００４５】
図９及び図１０はシート取付装置の別の実施例を示し、図９はシート取付装置の斜視図、図１０はシート取付装置の要部拡大横断面図である。  
このシート取付装置９１は、断面Ｄ型のパイプフレームで構成される前方フレーム９２の平面部９７に横長の四角形状に開口した係止孔９３と、この係止孔９３ごとに配設した外留め機構９４と、シート９５に一体に連結した係止爪９６とから構成される。
【００４６】
この実施例３の場合も実施例１及び実施例２と同じく前方フレーム９２にはシート９５の取付操作性が良好となる断面Ｄ型のパイプフレームを用いる。また、その断面Ｄ型の平面部９７をベビーバギーの幅方向内側に向けて配置し、その平面部９７の軸方向に係止孔９３を一定間隔に開口している。これらの各係止孔９３と対応するシート９５側には同じく一定間隔ごとにＬ形状の係止爪９６をシート９５に固定し、Ｌ形状の屈曲部側を突設させている。
【００４７】
前記外留め機構９４は、左右スライダ９８と、摺動口９９と、スライダ付勢バネ１００とから構成される。前記左右スライダ９８は断面Ｈ形状を有して前記係止孔９３の係止位置とは逆方向の位置(図１０では上方)に配置され、その位置の平面部９７に開口された摺動口９９内で前方フレーム９２の軸方向に摺動許容させて配設されている。また、摺動口９９の軸方向に圧縮状態に介在されたコイル状のスライダ付勢バネ１００によって該左右スライダ９８を係止孔９３の係止方向(図１０では下方)に付勢している。よって、左右スライダ９８の内側で係止方向に延設された押圧片１０１が係止爪９６を係止方向に押圧付勢させることができる。また、左右スライダ９８の外面中央部にはスライド操作用の摘み部１０２を突設しており、該摘み部１０２を利用者が指先で押して左右スライダ９８を一方と他方にスライド操作することにより、係止爪９６の外留め操作と外留め解除操作とができる。
【００４８】
そして、左右スライダ９８を反係止方向にスライドさせて係止孔９３を開放させた状態で、係止孔９３にシート端部の係止爪９６を挿入させて、該係止爪９６を係止孔９３に引っ掛けた後、左右スライダ９８を離せば該左右スライダ９８が係止方向にスライドして外留め付勢作用を与えた状態でシート９５が前方フレーム９２に取付けられる。
【００４９】
前記シート取付装置９１を用いて前方フレーム９２にシート９５を取付けた場合、その取付けられた係止部分である係止爪９６が係止孔９３に係止された係止状態を保ち、さらに外留め機構９４によって安定確実に外れ防止できるので係止爪９６が不用意に外れなくなり、安全性の高いシートの取付けを確保できる。このようなシート取付装置９１を用いれば、左右スライダ９８のスライド操作と、係止孔９３にシート端部の各係止爪９６を引っ掛ける操作だけでシート９５を前方フレーム９２に取付けることができる。
【００５０】
この場合も係止孔９３の取付位置を前方フレーム９２の軸方向に複数配置しておけば、軸方向の係止孔９３の位置を選択して係止爪９６の係止位置を変更するだけで、シート９５の取付位置を容易に調整することができる。
【００５１】
この発明の構成と、上述の一実施例の構成との対応において、
この発明の取付手段は、実施例の台座２０とシート連結体２１並びに係止孔７３，９３と係止爪７６，９６に対応し、
以下同様に、
被係止部は、台座２０と係止孔７３，９３に対応し、
係止部は、シート連結体２１と係止爪７６，９６に対応し、
前方フレームの断面Ｄ型の平面部分は、平面部２２，７７，９７に対応し、
外れ防止手段は、連結孔２３及び外留め防止部３３ａと、外留め機構７４，９４に対応するも、この発明は請求項に示される技術思想に基づいて応用することができ、上述の実施例の構成のみに限定されるものではない。
【００５２】
例えば、上述の実施例では折畳構造を有するベビーバギー１１にシート取付装置１１，７１，９１を適用したが、これに限らず、折畳構造を有していないベビーバギーにも適用することができる。
【図面の簡単な説明】
【００５３】
【図１】実施例１のベビーバギーの外観斜視図。
【図２】実施例１のシートに備えられるシート連結体の配置状態を示す展開図。
【図３】実施例１のシート取付装置の使用状態を示す要部外観斜視図。
【図４】実施例１のシート取付装置をベビーバギーの幅方向内側から見た分解斜視図。
【図５】実施例１のシート取付装置をベビーバギーの幅方向外側から見た分解斜視図。
【図６】(Ａ)は実施例１のシート連結体とシートとの平面連結状態を示した要部拡大側面図、(Ｂ)は実施例１のシート連結体とシートとの袋状連結状態を示した要部拡大側面図。
【図７】(Ａ)は実施例２の前方フレームとシートとを対応させたシート取付装置の斜視図、(Ｂ)は実施例２の係止孔に係止爪を係止させたシート取付装置の係止状態を示す要部斜視図。
【図８】実施例２のシート取付装置の要部拡大横断面図。
【図９】実施例３の前方フレームとシートとを対応させたシート取付装置の斜視図。
【図１０】実施例３のシート取付装置の要部拡大横断面図。
【符号の説明】
【００５４】
１１…ベビーバギー
１２，７２，９２…前方フレーム
１６，７５，９５…シート
１９，７１，９１…シート取付装置
２０…台座
２１…シート連結体
２２，７７，９７…平面部
３１…挿入溝
３３ａ…外留め防止部
３５…Ｌ形水平片
３６…ロック突起
７３，９３…係止孔
７４，９４…外留め機構
７６，９６…係止爪
【図１】
2008162561.tif 000003
【図２】
2008162561.tif 000004
【図３】
2008162561.tif 000005
【図４】
2008162561.tif 000006
【図５】
2008162561.tif 000007
【図６】
2008162561.tif 000008
【図７】
2008162561.tif 000009
【図８】
2008162561.tif 000010
【図９】
2008162561.tif 000011
【図１０】
2008162561.tif 000012